(57)【要約】      （修正有）【課題】電動回転工具だけでなく、タップハンドルを用いても折れ込みボルトの抜き取りができるボルト抜き取り具を提供する。【解決手段】折れ込みボルトを抜き取るボルト抜き取り具１は、差し込み部２と、この差し込み部２に連接され電動ドリルのチャック部が結合される六角柱部３Ａと、六角柱部３Ａより端部側に設けられタップハンドルを結合可能である四角柱部３Ｂとを結合部３として有する。差し込み部２と結合部３とは、胴部４に対して互いに反対側に設けられている。【選択図】図１
0003199224.tif 000002
【実用新案登録請求の範囲】
【請求項１】
差し込み部と、前記差し込み部に連接され電動回転工具のチャック部が結合される第１結合部とを有するもので、頭部が折れて前記頭部が欠落している折れ込みボルトの上部に下穴を開け、前記下穴に前記差し込み部を差し込み、前記第１結合部に結合された電動回転工具を駆動して前記折れ込みボルトを抜き取るボルト抜き取り具であって、
さらに、タップハンドルが結合される第２結合部を有することを特徴とするボルト抜き取り具。
【請求項２】
前記第１結合部は、断面六角形状の六角柱部であり、前記第２結合部は、断面四角形状の四角柱部である、請求項１記載のボルト抜き取り具。
【請求項３】
前記差し込み部は、先端側になるほど小さくなる断面四角形状部分の先端に四角錐状部分が設けられている、請求項１又は２記載のボルト抜き取り具。
【請求項４】
前記第１結合部と前記第２結合部とは、直列に同軸状に設けられ、
前記第２結合部が前記第１結合部より端部側に配置されている、請求項１〜３のいずれか１つに記載のボルト抜き取り具。
【考案の詳細な説明】
【技術分野】
【０００１】
本考案は、頭部が折れて前記頭部が欠落している折れ込みボルトを抜き取るのに用いられるボルト抜き取り具に関するものである。
【背景技術】
【０００２】
一般的に、例えばボルトが素材の穴の中にねじ込まれている状態で、ボルトの頭部が折れて欠落した場合には、ボルトは頭部がなく、ねじ部分のみが素材内に残ることになる。そのような折れ込みボルトを、それがねじ込まれている素材から抜き取るのは困難である。
【０００３】
そこで、そのような折れ込みボルトを抜き取るための、抜き取り用工具が提案されている（例えば特許文献１参照）。そのような工具は、折れ込みボルトの上部に下穴を設け、その下穴に工具先端部を差し込んで前記工具と折れ込みボルトとを一体化する。それから、工具基端部を例えば電動ドリルのチャック部にて保持し、前記電動ドリルの回転駆動力を利用して前記工具と一緒に前記折れ込みボルトを反時計方向に回転することにより、前記折れ込みボルトを素材から抜き取るようになっている。
【先行技術文献】
【特許文献】
【０００４】
【特許文献１】特表平８−５０５８１９号公報
【考案の概要】
【考案が解決しようとする課題】
【０００５】
前記特許文献１に記載の工具は、電動回転工具である電動ドリルの回転駆動力を利用して、折れ込みボルトを抜き取るものであるが、そのような折れ込みボルトを抜き取る抜き取り工具は、電動回転工具である電動ドリルで回転させて抜き取るだけでなく、タップハンドルを用いても抜き取ることができるようにしたいという要求がある。
【０００６】
そこで、本考案は、電動回転工具（正逆回転切替機能付電動ドリル、電動ドリルドライバー又は電動インパクトドライバー）だけでなく、タップハンドルを用いても折れ込みボルトの抜き取り作業ができるボルト抜き取り具を提供する。
【課題を解決するための手段】
【０００７】
請求項１の考案は、差し込み部と、前記差し込み部に連接され電動回転工具のチャック部が結合される第１結合部とを有するもので、頭部が折れて前記頭部が欠落している折れ込みボルトの上部に下穴を開け、前記下穴に前記差し込み部を差し込み、前記第１結合部に結合された電動回転工具を駆動して前記折れ込みボルトを抜き取るボルト抜き取り具であって、さらに、タップハンドルが結合される第２結合部を有することを特徴とする。ここで、電動回転工具には、正逆回転切替機能付電動ドリル、電動ドリルドライバー、電動インパクトドライバーが含まれる。
【０００８】
このようにすれば、ボルトが素材の穴の中にねじ込まれている状態で、ボルトの頭部が折れて前記頭部が欠落して折れ込みボルトとなっている場合であっても、電動回転工具あるいはタップハンドルを利用して折れ込みボルトを無理なく抜き取ることができる。そのような折れ込みボルトの抜き取り作業は、折れ込みボルトの上部（ボルト頭部があった側）に下穴を開けその下穴に差し込み部を差し込んで行うので、素材を傷付けることなく、折れ込みボルトを素材から抜き取ることができる。電動回転工具のチャック部を第１結合部に結合すれば、抜き取り作業を電動回転工具を用いて機械的に行え、作業自体が簡単になる。また、タップハンドルを第２結合部に結合すれば、タップハンドルを用いて手作業で抜き取りを行うことになるので、騒音が発生しない。このように、電動回転工具だけでなく、タップハンドルを使用することもできるので、それらを使い分けることで、目的・用途に応じた抜き取り作業を行うことができる。
【０００９】
この場合、請求項２に記載のように、前記第１結合部は、断面六角形状の六角柱部であり、前記第２結合部は、断面四角形状の四角柱部である構造とすること、請求項３に記載のように、前記差し込み部は、先端側になるほど小さくなる断面四角形状部分の先端に四角錐状部分が設けられている構造とすること、請求項４に記載のように、前記第１結合部と前記第２結合部とは、直列に同軸状に設けられ、前記第２結合部が前記第１結合部より端部側に配置されている構造とすることが好ましい。
【考案の効果】
【００１０】
本考案は、電動回転工具のチャック部が結合される第１結合部に加えて、タップハンドルが結合される第２結合部を有し、電動回転工具だけでなく、タップハンドルを使用できるようにしているので、それらの工具を使い分けて、頭部が折れて前記頭部が欠落している折れ込みボルトを素材から抜き取ることができる。
【図面の簡単な説明】
【００１１】
【図１】本考案に係るボルト抜き取り具の一実施の形態を示し、（ａ）は正面図、（ｂ）は左側面図、（ｃ）は右側面図である。
【図２】（ａ）〜（ｃ）はそれぞれ折れ込みボルトを引き抜く手順を示す説明図である。
【図３】タップハンドルの一例を示し、（ａ）は係合部が接触した状態を示す説明図、（ｂ）は係合部が開いた状態を示す説明図である。
【考案を実施するための形態】
【００１２】
以下、本考案の実施の形態を図面に沿って説明する。
【００１３】
図１は本考案に係るボルト抜き取り具の一実施の形態を示し、図１（ａ）は正面図、図１（ｂ）は左側面図、図１（ｃ）は右側面図である。
【００１４】
図１（ａ）（ｂ）（ｃ）に示すように、折れ込みボルト１２（図２参照）を抜き取るボルト抜き取り具１は、差し込み部２と、この差し込み部２に連接されボルト抜き取り具１を回転させる工具が結合される結合部３とを有する。差し込み部２と結合部３とは、主体部分が断面六角形状である胴部４を挟んで反対側に設けられている。材質としては、ＮＫＤ１が用いられる。
【００１５】
差し込み部２は、先端側になるほど小さくなる断面四角形状部分の先端に四角錐状部分が設けられ、折れ込みボルト１２の上部（下穴）への差し込みが容易となるようになっている。結合部３は、正逆回転切替機能付電動ドリル、電動ドリルドライバー又は電動インパクトドライバーなどの電動回転工具を結合可能である第１結合部としての六角柱部３Ａと、タップハンドル（図３参照）を結合可能である第２結合部としての四角柱部３Ｂとを有する。そして、胴部４の一方側（差し込み部２が設けられている側とは反対側）から六角柱部３Ａおよび四角柱部３Ｂが同軸状に順に設けられ、四角柱部３Ｂが六角柱部３Ａより端部側に配置されている。
【００１６】
続いて，ボルト抜き取り具１を用いて、折れ込みボルト１２を、それがねじ込まれている素材１４から抜き取る手順について説明する。なお、ボルト抜き取り具１は、折れ込みボルト１２の径に応じた大きさのものが用いられる。
（電動ドリル１１を用いる場合）
まず、図２（ａ）に示すように、電動ドリル１１のチャック部１１ａに保持される下穴ドリル１５（材質：ＨＳＳ（ハイス鋼））を用いて、折れ込みボルト１２の上部に下穴１２ａを開ける。なお、下穴ドリル１５は、折れ込みボルト１２の径に応じた径のものが用いられる。下穴ドリル１５の径は、例えば、折れ込みボルト１２のボルトサイズがＭ５〜Ｍ６の場合には２．０ｍｍ、Ｍ６〜Ｍ８の場合には２．８ｍｍ、Ｍ８〜Ｍ１２の場合には４．０ｍｍとされる。
【００１７】
それから、このようにして形成された下穴１２ａに、図２（ｂ）に示すように、ボルト抜き取り具１１の差し込み部２を差し込み、ボルト抜き取り具１１の上部をハンマー１３で打ち込んで、折れ込みボルト１２にボルト抜き取り具１１を取り付け、それらを一体化する。
【００１８】
それから、図２（ｃ）に示すように、結合部３のうち第１結合部であるボルト抜き取り具１の六角柱部３Ａに、電動ドリル１１のチャック部１１ａを結合し、電動ドリル１１によってボルト抜き取り具１１を、ボルトねじ込み方向とは反対方向に回転することで、ボルト抜き取り具１と一緒に折れ込みボルト１２を回転し、それらが素材１４から一緒に抜き取られる。
【００１９】
このようにすることで、折れ込みボルト１２がねじ込まれている素材１４を傷つけることなく、折れ込みボルト１２を素材１４から無理なく抜き取ることができる。なお、折れ込みボルト１２がステンレス製のボルトや、浸炭熱処理をしたボルトの場合には、本考案に係るボルト抜き取り具１１は用いることができない。また、電動ドリル１１に代えて、電動ドリルドライバー又は電動インパクトドライバーを用いることも可能である。
（タップハンドル１２を用いる場合）
タップハンドル２１は、図３（ａ）（ｂ）に示すように、枠体２２の一方に固定ハンドル軸部２３が固定され、他方に可動ハンドル軸部２４がネジ構造により軸線方向に進退可能に設けられている。両ハンドル軸部２３，２４の先端には、枠体２２内でボルト抜き取り具１１の四角柱部３Ｂに係合する係合部２５，２６が設けられている。そして、可動ハンドル軸部２４を進退動させることで係合部２５，２６の間隔を調整して、係合部２５，２６の間に四角柱部３Ｂを係合させることができる構成となっている。
【００２０】
よって、折れ込みボルト１２を、それがねじ込まれている素材１４から抜き取る場合には、まず、前述した場合と同様に、折れ込みボルト１２の上部に下穴１２ａを開け、この下穴１２ａに、ボルト抜き取り具１１の差し込み部２を差し込み、ハンマー１３で打ち込んで、折れ込みボルト１２とボルト抜き取り具１１とを一体化する。
【００２１】
それから、結合部３のうち第２結合部である四角柱部３Ｂを、タップハンドル２１の両係合部２５，２６に係合させそれらの間に挟持することでボルト抜き取り具１１の端部（四角柱部３Ｂ）にタップハンドル２１を結合する。この結合作業は、四角柱部３Ｂが六角柱部３Ａより端部側に配置されているので、容易に行える。
【００２２】
その後、タップハンドル２１をボルト抜き取り具１１の軸線回りに回転してボルト抜き取り具１１と折れ込みボルト１２とを一緒に回転させることで、折れ込みボルト１２を素材１４から抜き取ることができる。
【００２３】
前述したようなボルト抜き取り具１１であれば、結合部３として、電動回転工具が結合可能である六角柱部３Ａ（第１結合部）と、タップハンドル２１が結合可能である四角柱部３Ｂ（第２結合部）とを有するので、電動ドリルなどの電動回転工具だけでなく、タップハンドル２１を使用することもできる。よって、目的・用途などに応じてそれらを使い分けることができ、作業性が向上する。たとえば、電動ドリル１１などの電動回転工具を用いれば、抜き取り作業が簡単になり、タップハンドル２１を用いれば、騒音が発生することがない。
【符号の説明】
【００２４】
１  ボルト抜き取り具
２  差し込み部
３  結合部
３Ａ  六角柱部（第１結合部）
３Ｂ  四角柱部（第２結合部）
４  胴部
１１  電動ドリル
１１ａ  チャック部
１２  折れ込みボルト
１２ａ  下穴
１３  ハンマー
１４  素材
１５  下穴ドリル
２１  タップハンドル
２２  枠体
２３，２４  ハンドル軸部
２５，２６  係合部
【図１】
0003199224.tif 000003
【図２】
0003199224.tif 000004
【図３】
0003199224.tif 000005